(57)【特許請求の範囲】
【請求項１】
現用系および予備系の波長多重回線を用いて波長多重光信号による光通信を行う光ネットワークに用いられる光ネットワーク装置であって、
前記現用系および予備系の波長多重回線により自装置に入力される前記波長多重光信号の中から必要となる波長信号のみを分岐または挿入する光波長挿入分岐手段と、
前記光波長挿入分岐手段から前記波長多重光信号が入力され、クライアント側の光インタフェースを終端して前記光ネットワークとのインタワークを行い、クライアント側に前記波長多重光信号を出力する現用系インタフェース手段と、
前記光波長挿入分岐手段から前記波長多重光信号が入力され、クライアント側の光インタフェースを終端して前記光ネットワークとのインタワークを行い、前記現用系インタフェース手段と切り替えられることでクライアント側に前記波長多重光信号を出力する予備系インタフェース手段と、
前記現用系インタフェース手段および予備系インタフェース手段に対してのクライアント側への前記波長多重光信号の出力または出力停止の切り替え制御情報を生成するプロテクション制御手段と、
を備え、
前記現用系インタフェース手段と予備系インタフェース手段とは、
自インタフェース手段に関する障害を検出して障害情報を生成する障害検出部と、
前記プロテクション制御手段の前記切り替え制御情報に基づいてクライアント側への前記波長多重光信号の出力または出力停止を制御する光出力制御部と、
自光ネットワーク装置内の前記障害情報をモニタして、自インタフェース手段以外の他のインタフェース手段に関する前記障害情報を選択取得する障害情報選択部と、
を有し、
前記切り替え制御情報が、前記現用系インタフェース手段および予備系インタフェース手段とのそれぞれに個別に対応し、前記プロテクション制御手段が正常に動作している場合には２値変化するとともに前記プロテクション制御手段が正常に動作しない場合には論理固定されるシリアル信号であり、
前記現用系インタフェース手段と予備系インタフェース手段とのそれぞれの前記光出力制御部は、前記シリアル信号に基づいて前記プロテクション制御手段が正常に動作してるか否かを認識し、
前記プロテクション制御手段が正常に動作しない場合には、前記現用系インタフェース手段と予備系インタフェース手段とのそれぞれの前記光出力制御部が、自インタフェース手段の前記障害情報と前記障害情報選択部で選択取得した前記障害情報とに基づいて、前記現用系インタフェース手段および予備系インタフェース手段におけるクライアント側への前記波長多重光信号の出力または出力停止の切り替えをそれぞれ独立して制御すること、
を特徴とする光ネットワーク装置。
【請求項２】
前記切り替え制御情報が、自光ネットワーク装置外部から入力される動作固定設定情報を含むこと、
を特徴とする請求項１に記載の光ネットワーク装置。
【請求項３】
前記障害情報が、自インタフェース手段の前記光出力制御部における前記波長多重光信号の出力または出力停止の制御状態に関する情報を含むこと、
を特徴とする請求項１に記載の光ネットワーク装置。
【請求項４】
前記障害検出部は、自インタフェース手段に関する障害を検出した後に、所定の時間経過後に前記障害情報を前記光出力制御部に通知すること、
を特徴とする請求項１に記載の光ネットワーク装置。
【請求項５】
現用系および予備系の波長多重回線を用いて波長多重光信号による光通信を行う光ネットワークであって、
請求項１〜４のいずれか一つに記載の光ネットワーク装置を備えること、
を特徴とする光ネットワーク。
【発明の詳細な説明】
【技術分野】
【０００１】
本発明は、光ネットワーク装置および光ネットワークに関するものであり、特に現用系および予備系の波長多重回線を用いて波長多重光信号による光通信を行う光ネットワーク装置および光ネットワークに関するものである。
【背景技術】
【０００２】
従来、ＯＡＤＭ（Optical Add Drop Multiplexer：光波長挿入分岐モジュール）を用いた波長多重光ネットワークにおける重要な機能の一つに光プロテクション機能がある。通常、波長多重光ネットワークにおける光プロテクション機能では、光送信側にて１：２光カプラで現用、予備に光送信を行い、受信側で２ｘ１光スイッチや２：１光カプラによる合波（予備回線側は光信号出力停止）でプロテクションを実現する（たとえば、特許文献１、２参照）。
【０００３】
以下、従来の代表的な波長多重光ネットワークにおける光プロテクションの例を説明する。波長多重光ネットワーク内にはノード装置が複数存在し、ノード装置は、クライアント側の光インタフェースを終端して波長多重光ネットワークとのインタワークを実現するとともにノード装置においてプロテクションペアとなるインタフェースモジュール（以下、ＩＦモジュールと呼ぶ）と、波長多重光信号の中から必要となる波長信号のみを分岐（ドロップ）または挿入（アッド）するＯＡＤＭ（光波長挿入分岐モジュール）と、光カプラと、ノード装置の監視及び制御を実施する監視制御部と、を有する。監視制御部は、プロテクション制御を実現するプロテクション制御部を備える。また、ＩＦモジュールの障害対応を考慮し、プロテクションペアとなる複数のＩＦモジュール（現用系／予備系）を設けて冗長化構成としている。ここでは、ＩＦモジュールは２つとする。
【０００４】
受信側のノード装置のＯＡＤＭでは、ノード装置のＯＡＤＭにて挿入（アッド）された波長を分岐（ドロップ）し、プロテクションペアとなる２つのＩＦモジュール（現用系／予備系）の各々に転送する。２つのＩＦモジュールからのクライアント側への光信号出力は、２：１光カプラである光カプラにおいて合波され、クライアント側の光インタフェースに出力される。通常時は、現用系のＩＦモジュールでは、クライアント側への光信号出力を行い、予備側のＩＦモジュールでは、光信号出力を停止している。
【０００５】
ここで、現用系において光伝送路障害などが発生した場合は、ノード装置ではこれらの情報を監視制御部に通知し、監視制御部のプロテクション制御部からの指示によって現用系／予備系のＩＦモジュールの光信号出力／出力停止制御を逆転させることで、１＋１光プロテクションを実現する。
【０００６】
【特許文献１】特開平０６−２４４７９６号公報
【特許文献２】特開２００６−２１７０１０号公報
【発明の開示】
【発明が解決しようとする課題】
【０００７】
しかしながら、上記従来構成では、監視制御部のプロテクション制御部が、監視制御部の抜去や障害等により動作不可となった場合、ノード装置外部からのＬＯＣＫＯＵＴや強制切り替えはもちろんのこと、障害切り替えも実施不能となるという問題があった。
【０００８】
本発明は、上記に鑑みてなされたものであって、障害発生時における光信号出力または出力停止の切り替えを確実に行って信頼性に優れた光通信を行うことができる光ネットワーク装置および光ネットワークを得ることを目的とする。
【課題を解決するための手段】
【０００９】
上述した課題を解決し、目的を達成するために、本発明にかかる光ネットワーク装置は、現用系および予備系の波長多重回線を用いて波長多重光信号による光通信を行う光ネットワークに用いられる光ネットワーク装置であって、前記現用系および予備系の波長多重回線により自装置に入力される前記波長多重光信号の中から必要となる波長信号のみを分岐または挿入する光波長挿入分岐手段と、前記光波長挿入分岐手段から前記波長多重光信号が入力され、クライアント側の光インタフェースを終端して前記光ネットワークとのインタワークを行い、クライアント側に前記波長多重光信号を出力する現用系インタフェース手段と、前記光波長挿入分岐手段から前記波長多重光信号が入力され、クライアント側の光インタフェースを終端して前記光ネットワークとのインタワークを行い、前記現用系インタフェース手段と切り替えられることでクライアント側に前記波長多重光信号を出力する予備系インタフェース手段と、前記現用系インタフェース手段および予備系インタフェース手段に対してのクライアント側への前記波長多重光信号の出力または出力停止の切り替え制御情報を生成するプロテクション制御手段と、を備え、前記現用系インタフェース手段と予備系インタフェース手段とは、自インタフェース手段に関する障害を検出して障害情報を生成する障害検出部と、前記プロテクション制御手段の前記切り替え制御情報に基づいてクライアント側への前記波長多重光信号の出力または出力停止を制御する光出力制御部と、自光ネットワーク装置内の前記障害情報をモニタして、自インタフェース手段以外の他のインタフェース手段に関する前記障害情報を選択取得する障害情報選択部と、を有し、前記切り替え制御情報が、前記現用系インタフェース手段および予備系インタフェース手段とのそれぞれに個別に対応し、前記プロテクション制御手段が正常に動作している場合には２値変化するとともに前記プロテクション制御手段が正常に動作しない場合には論理固定されるシリアル信号であり、前記現用系インタフェース手段と予備系インタフェース手段とのそれぞれの前記光出力制御部は、前記シリアル信号に基づいて前記プロテクション制御手段が正常に動作してるか否かを認識し、前記プロテクション制御手段が正常に動作しない場合には、前記現用系インタフェース手段と予備系インタフェース手段とのそれぞれの前記光出力制御部が、自インタフェース手段の前記障害情報と前記障害情報選択部で選択取得した前記障害情報とに基づいて、前記現用系インタフェース手段および予備系インタフェース手段におけるクライアント側への前記波長多重光信号の出力または出力停止の切り替えをそれぞれ独立して制御すること、を特徴とする。
【発明の効果】
【００１０】
この発明によれば、障害発生時においては、光出力制御部が、自インタフェース手段の障害情報と障害情報選択部で選択取得した障害情報とに基づいて現用系インタフェース手段および予備系インタフェース手段におけるクライアント側への波長多重光信号の出力または出力停止の切り替えを制御することにより、光信号出力／出力停止の切り替えを確実に行って信頼性に優れた光通信を行うことができる、という効果を奏する。
【発明を実施するための最良の形態】
【００１１】
以下に、本発明にかかる光ネットワーク装置および光ネットワークの実施の形態を図面に基づいて詳細に説明する。なお、本発明は以下の記述に限定されるものではなく、本発明の要旨を逸脱しない範囲において適宜変更可能である。
【００１２】
実施の形態１．
図１は、本発明の実施の形態１にかかる光通信ネットワークであり、現用系および予備系の波長多重回線を用いて波長多重光信号による光通信を行う波長多重光ネットワークの概略構成を示す図である。以下、実施の形態１にかかる光通信ネットワークの光プロテクション機能について説明する。
【００１３】
実施の形態１にかかる光通信ネットワークにおいては、波長多重光ネットワーク１内にノード装置（光ネットワーク装置）が複数存在している。ノード装置２ａは、クライアント側の光インタフェース３ａを終端して波長多重光ネットワーク１とのインタワークを実現するとともにノード装置２ａにおいてプロテクションペアとなるＩＦモジュール６ａ１，６ａ２と、波長多重光信号の中から必要となる波長信号のみを分岐（ドロップ）または挿入（アッド）するＯＡＤＭ（光波長挿入分岐モジュール）５ａと、光カプラ７ａと、ノード装置２ａの監視及び制御を実施する監視制御部８ａと、を有する。
【００１４】
また、ノード装置２ｂは、クライアント側の光インタフェース３ｂを終端して波長多重光ネットワーク１とのインタワークを実現するとともにノード装置２ｂにおいてプロテクションペアとなるＩＦモジュール６ｂ１，６ｂ２と、波長多重光信号の中から必要となる波長信号のみを分岐（ドロップ）または挿入（アッド）するＯＡＤＭ（光波長挿入分岐モジュール）５ｂと、光カプラ７ｂと、ノード装置２ｂの監視及び制御を実施する監視制御部８ｂと、を有する。
【００１５】
なお、図１では説明の簡略化のため、２ノード装置構成であり、且つ各ノード装置のＩＦモジュールは２つとし、ノード装置２ａからノード装置２ｂ方向への通信のみを記載している。また、ＩＦモジュールの障害対応を考慮しＩＦモジュールも含めた冗長化構成としている。また、ＩＦモジュール６ｂ１と６ｂ２とをプロテクションペアとし、ＩＦモジュール６ｂ１が現用系、ＩＦモジュール６ｂ２が予備系で動作している状態で、ＩＦモジュール６ｂ１でのみ障害を検出した場合を例に説明する。
【００１６】
図１において、ノード装置２ａに入力されるクライアント側の光インタフェース３ａは、１：２光カプラである光カプラ７ａにより、プロテクションペアとなる２つのＩＦモジュール６ａ１，６ａ２に入力され、各々特定波長信号として、ＯＡＤＭ５ａによって波長多重光信号４ａ，４ｂに挿入（アッド）され、波長多重光ネットワーク１を介してノード装置２ｂに転送される。図１において、波長多重光信号４ａは現用系を転送する波長多重光信号であり、波長多重光信号４ｂは予備側を転送する波長多重光信号である。
【００１７】
ノード装置２ｂのＯＡＤＭ５ｂでは、ノード装置２ａのＯＡＤＭ５ａにて挿入（アッド）された波長を分岐（ドロップ）し、プロテクションペアとなる２つのＩＦモジュール６ｂ１，６ｂ２の各々に転送する。ＩＦモジュール６ｂ１，６ｂ２からのクライアント側への光信号出力は、２：１光カプラである光カプラ７ｂにおいて合波され、クライアント側の光インタフェース３ｂに出力される。図１では、ＩＦモジュール６ｂ１が現用系であり、ＩＦモジュール６ｂ２が予備側である。通常時は、現用系のＩＦモジュール６ｂ１では、クライアント側への光信号出力を行い、予備側のＩＦモジュール６ｂ２では、光信号出力を停止している。
【００１８】
ここで、現用系において光伝送路障害などが発生した場合は、ノード装置２ｂではこれらの情報を監視制御部８ｂに通知し、監視制御部８ｂからの指示によってＩＦモジュール６ｂ１，６ｂ２の光信号出力／出力停止制御を逆転させることで、１＋１光プロテクションを実現する。
【００１９】
図２は、実施の形態１にかかる光通信ネットワークにおける光プロテクション機能について説明する図である。具体的には、ノード装置２ｂでの監視制御部８ｂとＩＦモジュール６ｂ１，６ｂ２間でのプロテクション制御について説明する。
【００２０】
図２に示すように、ＩＦモジュール６ｂ１は、光通信に関する障害として光伝送路障害やＩＦモジュール障害を検出する障害検出部１０ｂ１と、クライアント側への光信号出力／出力停止を制御するクライアント光出力制御部１１ｂ１と、通信路１５ｂ上を流れる各ＩＦモジュールの障害情報をモニタし、自ＩＦモジュール６ｂ１とプロテクションペアとなるＩＦモジュール６ｂ２の障害情報を選択する障害情報選択部１７ｂ１と、を有する。
【００２１】
ＩＦモジュール６ｂ２は、光伝送路障害やＩＦモジュール障害を検出する障害検出部１０ｂ２と、クライアント側への光信号出力／出力停止を制御するクライアント光出力制御部１１ｂ２と、通信路１５ｂ上を流れる各ＩＦモジュールの障害情報をモニタし、自ＩＦモジュール６ｂ２とプロテクションペアとなるＩＦモジュール６ｂ１の障害情報を選択する障害情報選択部１７ｂ２と、を有する。
【００２２】
また、監視制御部８ｂは、プロテクション制御を実現するプロテクション制御部９ｂを有する。プロテクション制御部９ｂには、プロテクションペアに対するＬＯＣＫＯＵＴ指示や強制切り替え指示などの動作固定設定情報１４ｂがノード装置外部から入力される。
【００２３】
障害検出部１０ｂ１，１０ｂ２は、自障害検出部で検出した自ＩＦモジュールの障害情報を障害情報１２ｂ１，１２ｂとして、それぞれ通信路１５ｂ上に送信してプロテクション制御部９ｂに通知する。なお、障害検出部１０ｂ１，１０ｂ２は、障害がない場合は、障害情報１２ｂ１，１２ｂとして、「障害なし」の旨の情報を通信路１５ｂ上に送信する。通信路１５ｂは、ノード装置２ｂに実装されるＩＦモジュール６ｂ１，６ｂ２で検出された障害情報をプロテクション制御部９ｂに通知するための通信路である。
【００２４】
また、障害検出部１０ｂ１，１０ｂ２は、自障害検出部で検出した自ＩＦモジュールの障害情報を障害情報１８ｂ１，１８ｂ２として、それぞれクライアント光出力制御部１１ｂ１，１１ｂ２に通知する。なお、障害検出部１０ｂ１，１０ｂ２は、障害がない場合は、障害情報１８ｂ１，１８ｂとして、「障害なし」の旨の情報をクライアント光出力制御部１１ｂ１，１１ｂ２に通知する。
【００２５】
また、プロテクション制御部９ｂには通信路１６ｂが接続されている。通信路１６ｂは、プロテクション制御部９ｂから、各ＩＦモジュールのクライアント光出力制御部１１ｂ１，１１ｂ２に対して光信号出力／出力停止を指示する切り替え制御情報１３ｂ１，１３ｂ２を通知するための通信路である。この切り替え制御情報１３ｂ１，１３ｂ２によりクライアント光出力制御部１１ｂ１，１１ｂ２における光信号出力／出力停止を切り替えることで、ＩＦモジュール６ｂ１，６ｂ２の現用系／予備系を切り替える。
【００２６】
障害情報１９ｂ１，１９ｂ２は、障害情報選択部１７ｂ１，１７ｂ２からクライアント光出力制御部１１ｂ１，１１ｂ２に通知する、自ＩＦモジュールとプロテクションペアとなるＩＦモジュールの障害情報である。
【００２７】
次に、実施の形態１にかかる光通信ネットワークの動作について説明する。監視制御部８ｂのプロテクション制御部９ｂが正常動作している場合は（生存中）、従来例と同様、障害情報１２ｂ１，１２ｂ２を認識したプロテクション制御部９ｂが切り替え制御情報１３ｂ１，１３ｂ２を生成し、プロテクションペアであるＩＦモジュール６ｂ１，６ｂ２内のクライアント光出力制御部１１ｂ１，１１ｂ２に通知することでプロテクション（ＩＦモジュールのクライアント側への光信号の出力／出力停止制御）を実施する。この場合、自ＩＦモジュール内の障害検出部１０ｂ１，１０ｂ２や障害情報選択部１７ｂ１，１７ｂ２から通知される障害情報はクライアント光出力制御部１１ｂ１，１１ｂ２では無視する。
【００２８】
プロテクション制御部９ｂでの切り替え制御情報１３ｂ１，１３ｂ２の生成例としては例えば以下のような例が挙げられる。すなわち、現在の現用／予備状態が、ＩＦモジュール６ｂ１：現用、ＩＦモジュール６ｂ２：予備であり、運用設定からのＬＯＣＫＯＵＴ指示や強制切り替え指示無しで、ＩＦモジュール６ｂ１のみ障害が通知された場合は、切り替え制御情報１３ｂ１：光信号出力停止、切り替え制御情報１３ｂ２：光信号出力を通知する。
【００２９】
また、ＩＦモジュール６ｂ１及びＩＦモジュール６ｂ２で障害が通知された場合は、切り替え制御情報１３ｂ１：光信号出力、切り替え制御情報１３ｂ２：光信号出力停止を通知する（現状維持）。また、ＩＦモジュール６ｂ２のみ障害が通知された場合は、切り替え制御情報１３ｂ１：光信号出力、切り替え制御情報１３ｂ２：光信号出力停止を通知する（現状維持）。
【００３０】
また、現在の現用／予備状態が、ＩＦモジュール６ｂ１：現用、ＩＦモジュール６ｂ２：予備で、運用設定からのＬＯＣＫＯＵＴ指示がある場合は、ＩＦモジュール６ｂ１，６ｂ２からの障害情報に関わらず、切り替え制御情報１３ｂ１：光信号出力、切り替え制御情報１３ｂ２：光信号出力停止を通知する（現状維持）。
【００３１】
以下では、監視制御部８ｂのプロテクション制御部９ｂが動作不可となった場合の動作について説明する。
【００３２】
ＩＦモジュール６ｂ１の障害検出部１０ｂ１は、障害を検出すると通信路１５ｂに障害情報１２ｂ１を送出するとともに、ＩＦモジュール６ｂ１内のクライアント光出力制御部１１ｂに対して障害情報１８ｂ１を送出する。ＩＦモジュール６ｂ２では、障害情報選択部１７ｂ２において通信路１５ｂの障害情報を常時モニタし、自ＩＦモジュール６ｂ２とのプロテクションペアであるＩＦモジュール６ｂ１の障害情報１２ｂ１を選択して取得し、これを障害情報１９ｂ２としてクライアント光出力制御部１１ｂ２に通知する。
【００３３】
なお、ＩＦモジュール６ｂ１においても障害情報選択部１７ｂ１が通信路１５ｂの障害情報を常時モニタし、自ＩＦモジュール６ｂ１とのプロテクションペアであるＩＦモジュール６ｂ２の障害情報１２ｂ２を選択して取得し、これを障害情報１９ｂ１としてクライント光出力制御部１１ｂ１に通知する。ただし、本実施の形態では、ＩＦモジュール６ｂ２において障害が発生していないため、「障害なし」の旨が通知される。
【００３４】
また、プロテクションペアとなるＩＦモジュールの障害情報を障害情報選択部１７ｂ１，１７ｂ２において選択するため、監視制御部８ｂが正常動作中（生存中）にプロテクションペア情報は各ＩＦモジュールに通知されているものとする（例えば、切り替え制御情報１３ｂ１、１３ｂ２等とあわせて通知する）。
【００３５】
このような動作が実行されているときに監視制御部８ｂのプロテクション制御部９ｂが動作不可となる。ＩＦモジュール６ｂ１のクライアント光出力制御部１１ｂ１は、監視制御部８ｂのプロテクション制御部９ｂが動作不可であることを認識すると、クライアント光出力制御部１１ｂ１は、障害検出部１０ｂ１からの障害情報１８ｂ１が「障害あり」で、障害情報選択部１７ｂ１からの障害情報１９ｂ１が「障害なし」であることから、自ＩＦモジュールは予備系に遷移すべきと判断し、クライアント光信号出力を停止する。
【００３６】
ＩＦモジュール６ｂ２のクライアント光出力制御部１１ｂ２は、障害検出部１０ｂ２からの障害情報１８ｂ２が「障害なし」で、障害情報選択部１７ｂ２からの障害情報１９ｂ２が「障害あり」であることから、自ＩＦモジュールは現用系に遷移すべきと判断し、クライアント光信号出力を開始する。
【００３７】
上述したように、実施の形態１にかかる光通信ネットワークにおいては、各ＩＦモジュールが上記のような障害検出部と障害情報選択部とクライアント光出力制御部とを備え、クライアント光出力制御部が障害検出部からの障害情報と障害情報選択部からの障害情報とに基づいて、自ＩＦモジュールの現用系または予備系への遷移を判断してクライアント光信号出力を開始する。これにより、実施の形態１にかかる光通信ネットワークにおいては、ノード装置２ｂの監視制御部８ｂのプロテクション制御部９ｂが動作不可状態に陥っても、障害切り替え（プロテクション）を実現することができる。したがって、実施の形態１にかかる光通信ネットワークによれば、障害発生時においても光信号出力または出力停止の切り替えを確実に行って信頼性に優れた光通信を行うことができる。
【００３８】
実施の形態２．
上述した実施の形態１では、監視制御部８ｂのプロテクション制御部９ｂが動作不可状態における障害切り替えについて説明したが、実施の形態２では、ノード装置外部からの運用設定であるＬＯＣＫＯＵＴ指示や強制切り替え指示がある場合の実施の形態について説明する。なお、実施の形態２にかかる光通信ネットワークの構成は実施の形態１の場合と同様であり、基本的に同じ機能を有する。
【００３９】
実施の形態２では、監視制御部８ｂのプロテクション制御部９ｂが正常動作しており（生存中）、ノード装置外部からプロテクション制御部９ｂにＬＯＣＫＯＵＴ指示や強制切り替え指示が入力されている。この場合に、プロテクション制御部９ｂから各ＩＦモジュール６ｂ１，６ｂ２のクライアント光出力制御部１１ｂ１，１１ｂ２に通知する切り替え制御情報１３ｂ１，１３ｂ２として、クライアント側への光信号出力／出力停止を制御する光信号出力／出力停止情報に加え、ノード装置外部からプロテクション制御部９ｂにＬＯＣＫＯＵＴ指示や強制切り替え指示が入力されておりＬＯＣＫＯＵＴ指示中や強制切り替え指示中である旨も追加で通知する。
【００４０】
そして、ＬＯＣＫＯＵＴ指示中や強制切り替え指示中に監視制御部８ｂのプロテクション制御部９ｂが動作不可状態となった場合は、その後のＩＦモジュールの障害情報に関わらず、クライアント側への光信号出力／出力停止状態を現状維持する。すなわち、クライアント側への光信号出力／出力停止状態を、ＬＯＣＫＯＵＴ指示や強制切り替え指示に従った状態に維持する。
【００４１】
以上のようにクライアント側への光信号出力／出力停止状態を制御することで、ＬＯＣＫＯＵＴや強制切り替えが指示されている状態における誤った系切り替えを抑制することができ、精度の良いプロテクションを実現することができる。
【００４２】
実施の形態３．
上述した実施の形態１では、監視制御部８ｂのプロテクション制御部９ｂが正常状態から動作不可状態に遷移した場合について説明したが、実施の形態３では監視制御部８ｂのプロテクション制御部９ｂが動作不可状態から正常状態に遷移した場合の実施の形態について説明する。なお、実施の形態３にかかる光通信ネットワークの構成は実施の形態１の場合と同様であり、基本的に同じ機能を有する。
【００４３】
実施の形態３では、各ＩＦモジュール６ｂ１，６ｂ２の障害検出部１０ｂ１，１０ｂ２から送出される障害情報に、クライアント光出力制御部１１ｂ１，１１ｂ２での光信号出力／出力停止状態の情報も加えて通知する。そして、監視制御部８ｂのプロテクション制御部９ｂが動作不可状態から正常状態に遷移した際には、監視制御部８ｂのプロテクション制御部９ｂは障害検出部１０ｂ１，１０ｂ２から通知される障害情報に含まれる光信号出力／出力停止状態の情報より現状のＩＦモジュール６ｂ１，６ｂ２の現用／予備状態を認識する。そして、監視制御部８ｂのプロテクション制御部９ｂは、自身が保持するプロテクションペアの現用／予備状態を更新する。
【００４４】
以上のように、ＩＦモジュール６ｂ１，６ｂ２の現用／予備状態を監視制御部８ｂのプロテクション制御部９ｂが収集可能とすることで、監視制御部８ｂのプロテクション制御部９ｂが動作不可状態において発生した系切り替え状態を、監視制御部８ｂのプロテクション制御部９ｂが正常状態に戻った際に反映することができ、不要な切り替え（プロテクション制御部９ｂが保持する系状態と、実際のＩＦモジュール６ｂ１，６ｂ２の系状態との系不一致による切り替え）を抑制することができる。
【００４５】
実施の形態４．
上述した実施の形態１では、監視制御部８ｂのプロテクション制御部９ｂの動作不可状態の認識方法について特に言及していないが、実施の形態４では監視制御部８ｂのプロテクション制御部９ｂの動作不可状態の認識方法について説明する。なお、実施の形態４にかかる光通信ネットワークの構成は実施の形態１の場合と同様であり、基本的に同じ機能を有する。
【００４６】
実施の形態４では、監視制御部８ｂのプロテクション制御部９ｂから各ＩＦモジュール６ｂ１，６ｂ２のクライアント光出力制御部１１ｂ１，１１ｂ２に通知される切り替え制御情報１３ｂ１，１３ｂ２を、各ＩＦモジュール６ｂ１，６ｂ２対応のシリアル信号とする。また、このシリアル信号上の切り替え制御情報１３ｂ１，１３ｂ２は、監視制御部８ｂのプロテクション制御部９ｂが正常動作している場合（生存中）は必ず０と１が変化（２値変化）するコードとする。
【００４７】
そして、監視制御部８ｂのプロテクション制御部９ｂが動作不可状態の場合はこのシリアル信号の論理を固定する。なお、監視制御部８ｂのプロテクション制御部９ｂ未実装の場合も考慮し、受信側（ＩＦモジュール６ｂ１，６ｂ２側）にてプルアップまたはプルダウンで論理固定可能としてもよい。クライアント光出力制御部１１ｂ１，１１ｂ２では、一定時間、シリアル信号が論理変化しない場合、監視制御部８ｂのプロテクション制御部９ｂが動作不可状態であると認識する。
【００４８】
以上のように切り替え制御情報１３ｂ１，１３ｂ２を定義することで、監視制御部８ｂのプロテクション制御部９ｂの動作不可状態を新たな信号を定義することなく認識することができる。
【００４９】
実施の形態５．
上述した実施の形態１では、ＩＦモジュール６ｂ１，６ｂ２が障害を検出してから障害を通知するまでのタイミングを規定していないが、これらのタイミングを規定する実施の形態について説明する。
【００５０】
実施の形態５では障害検出部１０ｂ１，１０ｂ２に障害検出から障害通知までの時間を設定可能なタイマを備えることを特徴とする。例えば、ノード装置２ｂの上流で、かつ現用系及び予備系で共通となる部分で障害が発生した場合、現用系／予備系の同時障害であるため、本来系切り替えが発生しないことが望ましい。しかし、障害発生部位からノード装置２ｂの現用／予備各々のＩＦモジュール６ｂ１，６ｂ２までの伝送路長差は同一とはかぎらないことから、ノード装置２ｂのＩＦモジュールでの障害検出時間には、現用系と予備系でずれが生じることになる。仮に現用系側が先に障害を検出し通知してしまうと、予備系側でのまだ障害を検出していないことから、系切り替えが発生してしまうことになる。
【００５１】
そこで、障害検出から通知を行うまでの時間を、障害検出部１０ｂ１，１０ｂ２に備えるタイマにより設定可能とすることにより、障害伝播遅延時間を考慮して、障害検出時は予備系側が早く通知されるように、障害回復時は現用系側が早く通知されるようにすることで、不要な切り替えを抑止することができる。
【産業上の利用可能性】
【００５２】
以上のように、本発明にかかる光通信ネットワークは、高い信頼性が要求される光通信に有用である。
【図面の簡単な説明】
【００５３】
【図１】本発明の実施の形態１にかかる光通信ネットワークの概略構成を示す図である。
【図２】本発明の実施の形態１にかかる光通信ネットワークにおける光プロテクション機能について説明する図である。
【符号の説明】
【００５４】
１  波長多重光ネットワーク
２ａ，２ｂ  ノード装置
３ａ，３ｂ  クライアント側の光インタフェース
４ａ，４ｂ  波長多重光信号
５ａ，５ｂ  ＯＡＤＭ（光波長挿入分岐モジュール）
６ａ１，６ａ２  ＩＦモジュール
６ｂ１，６ｂ２  ＩＦモジュール
７ａ，７ｂ  光カプラ
８ａ，８ｂ  監視制御部
９ｂ  プロテクション制御部
１０ｂ１，１０ｂ２  障害検出部
１１ｂ１，１１ｂ２  クライアント光出力制御部
１２ｂ１，１２ｂ２  障害情報
１３ｂ１，１３ｂ２  切り替え制御情報
１４ｂ  動作固定設定情報
１５ｂ  通信路
１６ｂ  通信路
１７ｂ１，１７ｂ２  障害情報選択部
１８ｂ１，１８ｂ２  障害情報
１９ｂ１，１９ｂ２  障害情報
【図１】
0005078635.tif 000002
【図２】
0005078635.tif 000003